(57)【要約】      （修正有）【課題】    トイレットペーパーの芯軸で軸支することなく、また、ローラーなどで支持すくこともなく、トイレットペーパーの装着が容易で、かつ、使用時にスムーズにひきだすことができるトイレットペーパーホルダーを提供する。【解決手段】    ロール状のトイレットペーパーを保持するためのトイレットペーパーホルダーにおいて、トイレットペーパーの芯を軸支せずに、引き出し時に該トイレットペーパーが容易に滑って回転できる滑り手段４が設けられた収納容器３と、該トイレットペーパーの引き出し時に上部から押える紙切板２または、切断部が設けられた蓋体とからなることを特徴とするトイレットペーパーホルダーである。【選択図】図１
2006263430.tif 000002
【特許請求の範囲】
【請求項１】
ロール状のトイレットペーパーを保持するためのトイレットペーパーホルダーにおいて、トイレットペーパーの芯を軸支せずに、引き出し時に該トイレットペーパーが容易に滑って回転できる滑り手段が設けられ、上部が開放された収納容器と、その上部に取り付ける、該トイレットペーパーの引き出し時に上部から押える紙切板とからなることを特徴とするトイレットペーパーホルダー。
【請求項２】
前記の滑り手段が、滑り素材によるシートであり、該滑りシートが収納容器の内面に貼りつけられていることを特徴とする請求項１に記載のトイレットペーパーホルダー。
【請求項３】
前記の滑り手段が、収納容器の底部にトイレットペーパーの回転方向と平行に設けられた複数のレールであり、該滑りレール上でトイレットペーパーが容易に回転して引き出せることを特徴とする請求項１又は請求項２に記載のトイレットペーパーホルダー。
【請求項４】
前記の収納容器の上部に開閉可能な蓋体と、引き出したトイレットペーパーを切断するための紙切部が設けられていることを特徴とする請求項１から請求項３までのいずれかの項に記載のトイレットペーパーホルダー。
【請求項５】
収納容器の側部にＬ型形状に形成された板材からなるストック台を固定し、該Ｌ型板の背面部を壁面に取り付けることを特徴とする請求項１から請求項４までのいずれかの項に記載のトイレットペーパーホルダー。
【発明の詳細な説明】
【技術分野】
【０００１】  本発明は、トイレに設置され、ロール状のトイレットペーパーを引き出し、切断して使用するためのトイレットペーパーホルダーに関する。
【背景技術】
【０００２】  従来のトイレットペーパーホルダーは、図７に示すように、ロール状のトイレットペーパー１０を芯軸が水平状態でセットし、その芯軸を両側からホルダー１１で軸支し、その軸で支えて回転させ、引き出して使用するものであり、上部に紙切板１２を設けて、一定量引き出したところで切断できるようになっている。【０００３】  従来のトイレットペーパーホルダーは、特開２００４−２７５６５１号公報や特開２００４−２７５５３９号公報などに開示されているように、片手に引き出しでき、片手で切断できるようにしたものが開示されている。【０００４】  また、トイレットペーパーの芯軸を軸支せずにローラーを設けて、そのローラーで回転できるようにしたものなどもある。
【特許文献１】  特開２００４−２７５６５１号公報
【特許文献２】  特開２００４−２７５５３９号公報
【発明の開示】
【発明が解決しようとする課題】
【０００５】  本発明では、従来のトイレットペーパーホルダーが芯軸で軸支されているために、引き出しときに、ホルダーから外れて落としてしまったり、取付けが面倒であったりする問題を解決しようとするものである。【０００６】  上記のローラー方式のものもあるが、２台のローラーを用いたものなどでは、トイレットペーパーの芯軸とローラーの軸線が平行であるため、トイレットペーパーを使用するに従ってトイレットペーパーの直径が小さくなり、ローラーから外れてしまったり、うまく回転しなくなってしまったりするなど問題があった。【０００７】  また、ローラーの場合には、回転しやすくなる反面、紙切りがしにくくなる。【０００８】  本発明は、上記の問題点を鑑みてなされたものであり、トイレットペーパーの芯軸で軸支することなく、また、ローラーなどで支持することもなく、トイレットペーパーの装着が容易で、かつ、使用時にスムーズにひきだすことができるトイレットペーパーホルダーを提供することを課題とする。
【課題を解決するための手段】
【０００９】  本発明は、上記に示す課題を、以下の手段によって解決することができる。【００１０】    請求項１は、ロール状のトイレットペーパーを保持するためのトイレットペーパーホルダーにおいて、トイレットペーパーの芯を軸支せずに、引き出し時に該トイレットペーパーが容易に滑って回転できる滑り手段が設けられ、上部が開放された収納容器と、その上部に取り付ける、該トイレットペパーの引き出し時に上部から押える紙切板とからなることを特徴とするトイレットペーパーホルダーである。【００１１】  請求項２は、前記の滑り手段が、滑り素材によるシートであり、該滑りシートが収納容器の内面に貼りつけられていることを特徴とするトイレットペーパーホルダーである。【００１２】  該滑り素材は、トイレットペーパーを引き出すことで容易に滑って回転できるものであればいずれでもよく、耐久性と安全性に優れたフッ素樹脂材などが好ましい。【００１３】  請求項３は、前記の滑り手段が、収納容器の底部にトイレットペーパーの回転方向と平行に設けられた複数のレールであり、該滑りレール上でトイレットペーパーが容易に回転して引き出せることを特徴とするトイレットペーパーホルダーである。【００１４】  請求項４は、前記の収納容器の上部に開閉可能な蓋体と、引き出したトイレットペーパーを切断するための紙切部が設けられていることを特徴とするトイレットペーパーホルダーである。【００１５】  請求項５は、収納容器の側部にＬ型形状に形成された板材からなるストック台を固定し、該Ｌ型板の背面部を壁面に取り付けることを特徴とするトイレットペーパーホルダーである。
【発明の効果】
【００１６】  １）トイレットペーパーを軸支せずに、簡単に引き出せる。【００１７】  ２）市販のトイレットペーパーホルダーに取り付けて使用でき、取付けが容易である。【００１８】  ３）トイレットペーパーのセットが非常に簡単である。【００１９】  ４）構造が簡単で低コストに製作できる。【００２０】  ５）トイレットペーパーの引き出し時に外れて落としてしまうことがなくなる。【００２１】  ６）Ｌ型構造のストック台であるため、強度を高めることができる。
【発明を実施するための最良の形態】
【００２２】  以下、本発明の実施の形態について、実施例の図面を用いて説明する。【００２３】  図１は本発明によるトイレットペーパーホルダーの実施例を示す図である。【００２４】  このトイレットペーパーホルダーは、市販のトイレットペーパーホルダーの底部に本発明によるトイレットペーパーホルダーの収納容器をセットしたものである。【００２５】  上部の市販のトイレットペーパーホルダーは、図３の従来のトイレットペーパーホルダーと同様であり、取付フレーム１と紙切板２で構成されている。【００２６】  なお、トイレットペーパーの芯を軸支するための軸棒は取り外してある。【００２７】  下部のトイレットペーパーの収納容器３は、上部が開放された樹脂製の箱型容器であり、その底部には、トイレットペーパーを引き出すときに、容易に回転できるように、滑り手段として棒状レール４が２本設けられている。【００２８】  該棒状レールは、金属製または樹脂製などでも良い。【００２９】  収納容器の水切り手段として、容器底面にドレン穴やスリット穴を設けると良い。【００３０】  また、該収納容器の側面部には、予備のトイレットペーパーを置いておくためのストック台５が設けられている。【００３１】  Ｌ型構造で収納容器の側部にしっかりと固定されているため、強度を高めることができる。【００３２】  また、Ｌ型形状ストック台の背面は、壁面への取付け部となる。【００３３】  図に示すように、市販のトイレットペーパーホルダーの取付フレーム１の背面側に収納容器３の背面部を差しこんでＡ位置まで押し上げ、収納容器３の背面と壁面及び収納容器の側面と取付フレーム１とを、各々、接着剤やネジなどで固定して取り付ける。【００３４】  このような構成により、トイレットペーパーをセットすると、図２の模式図に示すように、収納容器３の底部に設けられた棒状レール４にトイレットペーパーが載置された状態となり、この状態でトイレットペーパーを引き出すと、トイレットペーパーと収納容器は接触せず、棒状レールのみと接した状態で回転するため、接触面積が小さく、回転に対する摩擦抵抗がほとんどなくなり、スムーズにトイレットペーパーが回転し、抵抗なく引き出すことができる。【００３５】  このため、従来のトイレットペーパーホルダーのように、引き出すときにトイレットペーパー自体がホルダーから外れて落としてしまったりすることがない。【００３６】  また、トイレットペーパーの取り替え時に、特別な操作の必要がなく、芯軸を差し替えたりする必要もなくなく、紙切板を上げて新しいトイレットペーパーを入れるだけで良い。【００３７】  収納容器の前面の引き出し口には、細線状の引き出しロッド６が設けられている。【００３８】  この引き出しロッド６により、トイレットペーパーが小さくなっても、スムーズに引き出すことができ、また、飛び出してしまう恐れもなくなる。【００３９】  図３は本発明によるトイレットペーパーホルダーの他の実施例を示す図であり、この実施例では、既存の紙切板２１が設けられたトイレットペーパーホルダー２０の下部に収納容器２２が取り付けられたものであるが、この収納容器の上部は完全開放されているのではなく、トイレットペーパー２６を引き出す側の手前部分に開閉可能な蓋体２３が設けられており、その先端にトイレットペーパーの切断部２４が設けられている。【００４０】  手前側に蓋体２３が設けられていることにより、使用によってトイレットペーパーの残りが少なくなり、ロール状のトイレットペーパー２５の径が小さくなっても、収納容器２２から飛び出してしまう問題がなくなる。【００４１】  この収納容器２２では、上下２段となった収納容器であり、上段の収納部に使用するトイレットペーパー２５を装着し、上部より、紙切板２１で押さえ、引き出したトイレットペーパーは切断部２４で切断して使用する。上段の収納容器の内部底面には、図１に示すような滑り手段（図示しない）が設けられている。【００４２】  収納容器２２の下段のサイドから予備のトイレットペーパー２７をストックすることができる。【００４３】  図４は、蓋体付のトイレットペーパーホルダーの実施例であり、図３に示した既存のトイレットペーパーホルダー２０を取り外して使用できる実施例である。【００４４】  この実施例では、トイレットペーパー２５を上部から押える役目をする既存の紙切板２１の代わりに、２枚の蓋体２３ａと２３ｂとが開閉可能に設けられている。【００４５】  手前側のトイレットペーパー切断部２４がその先端に設けられた前蓋体２３ａと、奥側で前蓋体２３ａと一部が重なるように設けられた後蓋体２３ｂとで構成される。【００４６】  図のように、前蓋体２３ａの上部で、後蓋体２３ｂの下部をトイレットペーパー２６が引き出されるようになっている。【００４７】  図５は、蓋体付の他のトイレットペーパーホルダーの実施例である。この実施例では、上蓋３１は、１枚で構成され、収納容器３０の上部の奥側に蝶番３２により開閉自在に取り付けられている。【００４８】  トイレットペーパーの切断部３３は、収納容器３０の上部の手前側端部に取り付けられている。【００４９】  この例では、上蓋３１を図のように開き、トイレットペーパー３４を収納し、図６に示すように、トイレットペーパー３４の先端部３６を切断部３３に沿って引き出し、上蓋３１を閉じることで、簡単にトイレットペーパー３４を装着できる。【００５０】  また、トイレットペーパー３４を使用して、径が小さくなっても、飛び出すことはなく、最後までスムーズに使用できる。【００５１】  本実施例では、滑り手段として、棒状レールを用いたが、これに限定されるものではなく、凸状レールなどトイレットペーパーを引き出すときに容易に滑り回転できるものであればいずれでもよい。【００５２】  収納容器の内面側に滑り素材を取り付けたり、被覆加工したものでも良い。【００５３】  滑り素材としては、例えば、フッ素樹脂加工やそのシートを貼りつけたものでもよく、ニチアス（株）のカグスベールに使用されているフッ素樹脂（ナフロン（登録商標））製シート・シールなどが使用できる。【００５４】  また、収納容器の底部を湾曲させて滑りやすくしても良い。【００５５】  また、滑り素材としてフッ素樹脂塗料を塗布しても良い。【００５６】  滑り素材は、安全性、耐久性の高いものが好ましい。【００５７】  また、前記のレールの上面に滑り素材の表面加工や貼りつけを行っても良い。【００５８】  また、収納容器は、���い樹脂製が好ましく、取り付けは、接着剤や接着テープあるいはネジ止めなどでも良い。
【図面の簡単な説明】
【００５９】
【図１】  本発明によるトイレットペーパーホルダーの実施例を示す図である。
【図２】  本発明によるトイレットペーパーのセット状態の模式図である。
【図３】  本発明によるトイレットペーパーホルダーの他の実施例を示す図である。
【図４】  本発明による２枚蓋体付トイレットペーパーホルダーの実施例を示す図である。
【図５】  本発明による上蓋付トイレットペーパーホルダーの他の実施例を示す図である。
【図６】  本発明による上蓋付トイレットペーパーホルダーの使用状態を示す図である。
【図７】  従来のトイレットペーパーホルダーの実施例を示す図である。
【符号の説明】
【００６０】  １  取付フレーム
２、１２、２１  紙切板
３、２２、３０  収納容器
４  棒状レール
５  ストック台
６  引き出しロッド
１０、２５、３４  トイレットペーパー
１１、２０  ホルダー
２３、２３ａ、２３ｂ、３１  蓋体
２４、３３  切断部
【図１】
2006263430.tif 000003
【図２】
2006263430.tif 000004
【図３】
2006263430.tif 000005
【図４】
2006263430.tif 000006
【図５】
2006263430.tif 000007
【図６】
2006263430.tif 000008
【図７】
2006263430.tif 000009